(57)【要約】【課題】診断画像をフィルムへ出力したときのフィルム出力情報を容易に再現可能な医用画像診断装置を実現する。【解決手段】フィルムへ診断画像を出力するときレイアウト等の情報であるフィルム出力情報をフィルム出力情報キー毎に情報テーブルに格納する。フィルム出力情報を再現する場合、情報キーをディスプレイの表示画面の情報キー入力領域３０５に入力するとその情報キーに対応する情報テーブルに格納されたフィルム出力情報が表示される。ディスプレイ上にフィルム出力情報リスト表示部分３０２、再現項目選択部分３０３、機能ボタン表示部分３０４、フィルム出力情報キー入力領域３０５が表示される。その情報を確認し、既に出力したフィルムを再度表示出力することができる。表示情報を変更したい場合はディスプレイ上でその変更を行い、変更された状態で、フィルムを表示出力することができる。【選択図】      図３
2006149982.tif 000002
【特許請求の範囲】
【請求項１】
被検体の断層像を撮像する手段と、撮像した断層画像情報を記憶する記憶手段と、フィルム表示画像を、操作者からの指令に応じて、記憶手段に記憶された断層画像情報に基づき作成する表示画像作成手段と、フィルム表示画像を表示する表示手段と、フィルム上に画像を記録するためにフィルム表示画像情報を出力する情報出力手段とを備える医用画像診断装置において、
上記記憶手段は、フィルム表示画像情報を、予め定められたフィルム出力情報キー毎に記憶し、上記表示画像作成手段は、操作者から指定されたフィルム出力情報キーに対応するフィルム表示画像情報を上記記憶手段から取り出して表示手段に表示し、操作者からの指令に従って記録されたフィルム表示画像情報を上記情報出力手段から出力させることを特徴とする医用画像診断装置。
【請求項２】
請求項１記載の医用画像診断装置において、上記表示画像作成手段は、表示手段に表示されたフィルム表示画像情報のうち、操作者から選択された項目のみ、フィルム表示画像情報として、上記情報出力手段から出力させることを特徴とする医用画像診断装置。
【請求項３】
請求項１又は２記載の医用画像診断装置において、上記フィルム表示画像情報は、複数の断面画像のうちのフィルムに記録する断面画像の選択情報、レイアウト情報、選択画像の表示寸法情報、画像の回転拡大縮小情報、文字情報のうちの少なくとも一つを有することを特徴とする医用画像診断装置。
【請求項４】
被検体に静磁場を与える静磁場発生手段と、被検体に傾斜磁場を与える傾斜磁場発生手段と、被検体に核磁気共鳴現象を起こさせる高周波パルスを印加する照射手段と、被検体から放出されるエコー信号を検出する受信手段と、この受信手段により検出したエコー信号を用いて画像再構成演算を行うとともに撮像動作を制御する動作制御手段と、画像を表示する表示手段と、画像情報を記憶する記憶手段置と、フィルム上に画像を記録するためにフィルム表示画像情報を出力する情報出力手段とを備える磁気共鳴イメージング装置において、
上記記憶手段は、フィルム表示画像情報を、予め定められたフィルム出力情報キー毎に記憶し、上記動作制御手段は、操作者から指定されたフィルム出力情報キーに対応するフィルム表示画像情報を上記記憶手段から取り出して表示手段に表示し、操作者からの指令に従って記録されたフィルム表示画像情報を上記情報出力手段から出力させることを特徴とする磁気共鳴イメージング装置。
【請求項５】
請求項４記載の磁気共鳴イメージング装置において、上記動作制御手段は、表示手段に表示されたフィルム表示画像情報のうち、操作者から選択された項目のみ、フィルム表示画像情報として、上記情報出力手段から出力させることを特徴とする磁気共鳴イメージング装置。
【請求項６】
請求項４又は５記載の磁気共鳴イメージング装置において、上記フィルム表示画像情報は、複数の断面画像のうちのフィルムに記録する断面画像の選択情報、レイアウト情報、選択画像の表示寸法情報、画像の回転拡大縮小情報、文字情報のうちの少なくとも一つを有することを特徴とする磁気共鳴イメージング装置。
【請求項７】
被検体の断層像を撮像する手段と、撮像した断層画像情報を記憶する記憶手段と、フィルム表示画像を、操作者からの指令に応じて、記憶手段に記憶された断層画像情報に基づき作成する表示画像作成手段と、フィルム表示画像を表示する表示手段と、フィルム上に画像を記録するためにフィルム表示画像情報を出力する情報出力手段とを備える医用画像診断装置において、
上記情報出力手段は、通信ネットワークに接続され、上記記憶手段は、フィルム表示画像情報を、予め定められたフィルム出力情報キー毎に記憶し、上記表示画像作成手段は、上記通信ネットワークを介して指定要求されたフィルム出力情報キーに対応するフィルム表示画像情報を上記記憶手段から取り出して上記情報出力手段から通信ネットワークを介して上記指定要求元に出力させることを特徴とする医用画像診断装置。
【発明の詳細な説明】
【技術分野】
【０００１】
本発明は、磁気共鳴イメージング装置等の医用画像診断装置に係り、特に、撮像した画像をフィルムへ出力可能な医用画像診断装置に関する。
【背景技術】
【０００２】
磁気共鳴イメージング装置（ＭＲＩ装置）やＣＴ装置等の医用画像装置で撮像した画像を用いて被験者を診断する場合、診断に必要な画像をイメージャへ出力してフィルムへ焼き付け（記録）て、その出力フィルムを使用することが行なわれている。
【０００３】
このため、医用画像診断装置は、撮像した画像をイメージャへ出力することが可能であり、この機能は基本機能として装置に搭載されている。
【０００４】
また、フィルムは診断のときに使用する画像となることから、出力するフィルムに対して、画像配置等の多種類の設定が可能となっている。
【０００５】
出力するフィルムに対して設定可能な項目としては、一般的に、出力するフィルムの複数断面画像のレイアウト、画像の選択、選択画像のＷＷ／ＷＬ（ウインドウ幅／ウインドウ高さ）調整、選択画像の表示枠内における移動、選択画像の表示枠内における回転、選択画像の表示枠内における拡大と縮小、選択画像に付加する文字情報の選択などがある。
【０００６】
これらの設定はそれぞれ、設定項目毎に独自に行うことができ、診断に使用する画像を見易くしてからフィルムに出力することができる。
【０００７】
特許文献１には、見易いフィルムが得られるように、医用撮影装置により撮影された画像のレイアウト、階調変換、規格変換が行なわれる技術が記載されている。
【０００８】
ここで、医用画像をフィルムにより出力した後に、そのフィルムの複製が必要となる場合がある。この場合には、フィルム複製機を使用して既出フィルムの複製を行う方法がある。
【０００９】
フィルム複製機を使用できない場合には、再度、医用画像診断装置から既出フィルムと同じフィルムの画像レイアウト、画像の選択、選択画像のＷＷ／ＷＬ調整、選択画像の表示枠内における移動、選択画像の表示枠内における回転、選択画像の表示枠内における拡大と縮小、選択画像に付加する文字情報の選択などを行ってフィルムに出力することで既出フィルムと同等のフィルムを作成することができる。
【００１０】
【特許文献１】特開２００３−６０８９３号公報
【発明の開示】
【発明が解決しようとする課題】
【００１１】
上述したように、医用画像診断装置において、既出フィルムをフィルム複製機によってフィルムを複製する場合は、医用画像診断装置以外にフィルム複製機が必要となる。
【００１２】
一方、フィルム複製機を所有せず、医用画像診断装置において、既出フィルムの画像を、再度作成する場合は、既出フィルムの画像と同一とするために、操作者によってフィルムの画像レイアウト、画像の選択、選択画像のＷＷ／ＷＬ調整、選択画像の表示枠内における移動、選択画像の表示枠内における回転、選択画像の表示枠内における拡大と縮小、選択画像に付加する文字情報の選択などの煩雑な操作が必要となる。
【００１３】
操作者の手元に、既出フィルムがある場合は、そのフィルムを注意深く観察することで、ある程度は同等のフィルム出力情報を作成することができる。しかし、操作者の手元に既出フィルムがない場合には、操作者の記憶と経験に基づいてフィルム出力情報を設定することになり、既出フィルムと同一の画像が得られるという保証は少ない。
【００１４】
また、既出フィルムの一部を変更したフィルムを作成する場合であっても、上記に示した操作の変更部分以外の設定を行わなければならず、やはり、煩雑な操作となってしまう。
【００１５】
本発明の目的は、診断画像をフィルムへ出力したときのフィルム出力情報を容易に再現可能な医用画像診断装置を実現することである。
【課題を解決するための手段】
【００１６】
上記目的を達成するため、本発明は次のように構成される。  
（１）本発明の医用画像診断装置は、被検体１１２の断層像を撮像する手段１０１、１０２、１０４、１０５、１０６、１０７と、撮像した断層画像情報を記憶する記憶手段１１１と、フィルム表示画像を、操作者からの指令に応じて、記憶手段１１１に記憶された断層画像情報に基づき作成する表示画像作成手段１０８と、フィルム表示画像を表示する表示手段１０９と、フィルム上に画像を記録するためにフィルム表示画像情報を出力する情報出力手段１ｂとを備える医用画像診断装置において、上記記憶手段１１１は、フィルム表示画像情報を４０１、予め定められたフィルム出力情報キー４０３毎に記憶し、上記表示画像作成手段１０８は、操作者から指定されたフィルム出力情報キー４０３に対応するフィルム表示画像情報４０１を上記記憶手段１１１から取り出して表示手段１０９に表示し、操作者からの指令に従って記録されたフィルム表示画像情報４０１を上記情報出力手段１ｂから出力させる。
【００１７】
（２）好ましくは、上記（１）において、上記表示画像作成手段１０８は、表示手段１０９に表示されたフィルム表示画像情報のうち、操作者から選択された項目のみ、フィルム表示画像情報として、上記情報出力手段１ｂから出力させる。
【００１８】
（３）また、好ましくは、上記（１）、（２）において、上記フィルム表示画像情報４０１は、複数の断面画像のうちのフィルムに記録する断面画像の選択情報、レイアウト情報、選択画像の表示寸法情報、画像の回転拡大縮小情報、文字情報のうちの少なくとも一つを有する。
【００１９】
（４）また、好ましくは、上記（１）において、上記情報出力手段１ｂは、通信ネットワーク２に接続され、上記表示画像作成手段１０８は、上記通信ネットワーク２を介して指定要求されたフィルム出力情報キー４０３に対応するフィルム表示画像情報を上記記憶手段１０９から取り出して上記情報出力手段１ｂから通信ネットワーク２を介して上記指定要求元３、４、５に出力させる。
【発明の効果】
【００２０】
診断画像をフィルムへ出力したときのフィルム出力情報を容易に再現可能な医用画像診断装置を実現することができる。
【００２１】
また、フィルム出力情報に変更を加えて、再度、フィルムへ出力することも容易に実行することができる。
【発明を実施するための最良の形態】
【００２２】
以下、本発明の実施形態について、添付図面を参照して説明する。  
なお、以下に実施形態は、本発明をＭＲＩ装置に適用した場合の例である。
【００２３】
ＭＲＩ装置は、ＮＭＲ現象を利用して被検体中の所望の検査部位における原子核スピンの密度分布や緩和時間分布等を計測して、その計測から被検体の任意の断面を画像表示するものである。
【００２４】
図１は、ＭＲＩ装置の概略構成図である。
【００２５】
図１において、ＭＲＩ装置は、被検体１１２に静磁場を与える静磁場コイル１０１と、被検体１１２に傾斜磁場を与える傾斜磁場コイル１０２と、傾斜磁場電源１０３と、被検体１１２の生態組織を構成する原子の原子核にＮＭＲ現象を起こさせる高周波パルス（ＲＦパルス）信号を所定のパルスシーケンスで繰り返し印加する照射コイル１０４とを備える。
【００２６】
また、ＭＲＩ装置は、照射コイル１０４からのＲＦパルスにより被検体１１２にＲＦパルス信号を照射する送信系１０５と、ＮＭＲ現象により放出されるエコー信号を検出する受信コイル１０６及び受信系１０７とを備える。
【００２７】
さらに、ＭＲＩ装置は、受信系１０７で検出したエコー信号を用いて画像再構成演算を行う信号処理及びフィルム出力処理を行うＣＰＵ１０８と、画像を表示する表示手段（ディスプレイ）１０９と、動作指示等を入力するための操作卓１１０と、データを蓄積する記憶装置１１１とを備える。
【００２８】
傾斜磁場は、エコー信号に位置情報を与えるために与えられるもので、直交する３軸方向の傾斜磁場が、それぞれ所定のパルスシーケンスにより被検体１１２に印加される。
【００２９】
上記ＭＲＩ装置で撮像を行って得た画像は、ＣＰＵ１０８により記憶装置１１１に記憶されると共に、ＣＰＵ１０８によりイメージャ（図1には図示せず）に出力され、フィルムに表示される。
【００３０】
図２は、操作者がＭＲＩ装置から出力し、イメージャにより表示出力されたフィルムの概略構成図である。
【００３１】
図２において、出力フィルムは、ＭＲＩ装置が描画可能な部分２０１と描画不可能な部分２０２とから構成される。なお、描画不可能領域２０２の広狭は、画像を出力するイメージャに依存し、この領域２０２が形成されない場合も有り得る。
【００３２】
描画可能部分２０１は、ＭＲＩ装置で撮像した画像を表示する領域２０３とフィルム出力情報キーを表示する領域２０４とから構成される。画像表示領域２０３はＭＲＩ装置で撮像した画像を表示する領域であり、情報キー表示領域２０４はフィルム出力情報に対応した情報キーを表示する領域である。フィルム出力情報キーはＭＲＩ装置の記憶装置１１１に記憶された画像毎に記憶されている。
【００３３】
図３は、フィルム出力情報を再現するための情報操作画面の一例を示す図である。この情報操作画面は、ディスプレイ１０９に表示される。
【００３４】
まず、操作者は、フィルム出力情報再現をフィルム出力情報キーの指定により実現するため、フィルム出力情報キー指定画面をディスプレイ１０９に表示させる。
【００３５】
フィルム出力情報キー指定画面は、フィルム出力情報キーを入力する部分３０１と、フィルム出力情報のリストを表示する部分３０２と、再現する項目を選択する部分３０３と、再現実行及び画面を閉じる機能を持つボタンを表示する部分である機能表示部分３０４との大きく４つから構成される。
【００３６】
情報キー入力部分３０１には、複製するためにフィルム出力情報キーを入力する領域３０５が表示されている。この領域３０５にはフィルム出力情報キーの入力領域であることを示すラベル名（フィルム出力情報キー）が表示されている。
【００３７】
また、フィルム出力情報リスト表示部分３０２は、フィルム出力情報キーのリストを表示する領域３０６と、表示フィルタボタン３０７とによって構成されている。
【００３８】
出力情報キー入力領域３０５に、直接、フィルム出力情報キーを入力しない場合においても、上記リストから複製するフィルム出力情報を選択することによって、出力情報キー入力領域３０５に直接、フィルム出力情報キーを入力したときと同じ結果となる。
【００３９】
また、リスト表示領域３０６は、ＭＲＩ装置から出力したフィルムの出力情報キーのリストを表示する。このリストの各項目は、フィルム出力情報キー（Key-1、Key-2、・・・）と、フィルム出力日時（Print Date Time）と、被検者名及びと被検者ＩＤ（Name-1、ID1、・・・）と、検査日時（Study Date Time-1、・・・）とである。
【００４０】
表示フィルタボタン３０７は、リスト表示領域３０６内に表示する項目を制限するためのボタンであり、リスト内からフィルム出力情報の検索を容易にするための機能として、リストに表示している各項目のフィルタリングを可能とする。
【００４１】
再現項目選択部分３０３は、フィルム出力情報キーに対応して保存しているフィルム出力情報の項目３０８と、各項目を再現するかどうかを操作者に示すためのボタン３０９とによって構成されている。つまり、この再現項目選択部分３０３は、既出フィルムと同じ状態を再現する項目を操作者が選択するための領域である。
【００４２】
再現項目選択部分３０３において、フィルム出力情報項目３０８は既出フィルムを再現するために必要な再現項目名を表示する。各項目再現ボタン３０９はフィルム出力情報項目３０８を有効または無効にするためのボタンである。この各項目再現ボタン３０９は、操作者が任意に選択でき、ＯＮにしたときはそのフィルム出力情報を再現することを意味する。なお、図３において、黒で塗りつぶした四角はＯＮ状態、塗りつぶしていない四角はＯＦＦ状態を示す。
【００４３】
また、機能表示部分３０４は、フィルム出力情報を再現してイメージャへ出力を行うボタン３１０と、フィルム出力情報をフィルム処理画面に再現して画面を閉じるボタン３１１と、単に画面を閉じるボタン３１２とによって構成される。
【００４４】
イメージャ出力ボタン３１０は、情報キー入力部分３０１と、フィルム出力情報リスト表示部分３０２と、再現項目選択部分３０３との設定に基づいてフィルム出力情報を再現してイメージャへ出力を行うためのボタンである。
【００４５】
イメージャ出力ボタン３１０を、画面上押下操作することで操作者によって指定されたフィルム出力情報を再現してフィルムへ出力する。
【００４６】
ボタン３１１は、情報キー入力部分３０１と、フィルム出力情報リスト表示部分３０２と、再現項目選択部分３０３との設定に基づいて、フィルム出力情報をフィルム出力画面上に再現するためのボタンである。
【００４７】
ボタン３１１を、画面上押下操作することで操作者によって指定されたフィルム出力情報を操作画面上に表示する。この操作画面は、通常のフィルム操作で使用する画面であり、ボタン３１１を押下操作した後、図３に示した画面を閉じる。
【００４８】
再現されたフィルム出力情報は、操作者によって変更可能であり、変更された情報に基づきフィルムへ出力する。
【００４９】
ボタン３１２は、フィルム出力情報を指定する画面を閉じるボタンであり、このボタン３１２を押下操作することで、図３に表示された画面を閉じてフィルム出力情報の再現を終了する。
【００５０】
図４は、フィルム出力情報を記憶装置１１１に格納するテーブルの情報構成を示す図である。
【００５１】
図４において、操作者がフィルム出力処理を行うときに、各フィルム出力情報と、その情報の値とを１組の情報４０１（被験者情報、出力日時、画像情報、レイアウト情報、ＷＷ／ＷＬ、移動情報・・・）として、すべてのフィルム出力情報をテーブル４０２に格納する。
【００５２】
テーブル４０２の各情報４０１に対応するキーをフィルム出力情報キー４０３として割り当てる。これらの情報をデータベース化してＭＲＩ装置の記憶装置１１１に保存する。割り当てられたフィルム出力情報キー４０３は、フィルム出力処理を行っているときにイメージャへ出力する画像データに付加する。
【００５３】
図５は、上述したフィルム出力情報を再現し、再現画像を出力する動作フローチャートである。
【００５４】
図５において、ＭＲＩ装置から出力したフィルムに付加しているフィルム出力情報キー２０４を、フィルム出力情報キー入力領域３０５に指定する（ステップ５０１）。そして、フィルム出力情報を再現してイメージャへ出力を行うボタン３１０を押下操作する（ステップ５０２）。
【００５５】
ステップ５０２におけるボタン押下操作をトリガーとして、フィルム出力情報キーを指定する画面を閉じる（ステップ５０３）。そして、指定されたフィルム出力情報キー４０３に基づいて、記憶装置１１１に格納されたフィルム出力情報用データベース４０２から、フィルム出力情報を再現するための情報を取得する（ステップ５０４）。
【００５６】
次に、画像データをデータベース４０２からロードして、レイアウト情報に従って画像を配置し、表示する（ステップ５０５）。次に、配置した画像データに対して取得したフィルム出力情報にその配置情報を反映する（ステップ５０６）。
【００５７】
最後に、フィルム出力情報を反映した画像データをイメージャへ出力する（ステップ５０７）。
【００５８】
これらの画像データの操作処理は、既存のフィルム出力機能に備わっている処理を使用する。
【００５９】
上述した例は、フィルム出力情報を全て表示させる例であるが、フィルム出力情報のうち、選択したもののみ、表示させることも可能である。
【００６０】
図６は、出力フィルムの再現において、再現するフィルム出力情報を選択しフィルムに表示する場合における動作フローチャートである。なお、この図６において、図５のステップと同一のステップには、同一の符号が付されている。
【００６１】
図６において、フィルム出力情報キーを入力するステップ５０１は図５の例と同じである。次に、フィルム出力情報キー４０３を入力した後、フィルム出力情報の項目３０８の中から、再現しないフィルム出力情報のボタン３０９をＯＦＦに設定する（ステップ６０１）。
【００６２】
そして、フィルム出力情報を再現してイメージャへ出力を行うボタン３１０を押下操作する（ステップ５０２）。このボタン操作をトリガーとして、ステップ５０３〜５０５の動作が行われる。
【００６３】
次に、取得したフィルム出力情報の中で、ボタン３０９がＯＮ状態になっているフィルム出力情報の項目３０８のみを、配置した画像データに対して反映する（ステップ６０２）。その後、再現した画像をイメージャへ出力する（ステップ５０７）。
【００６４】
図７は、出力フィルムの再現において、フィルム出力情報を再現した後、操作者によってフィルム出力情報を再設定してからフィルムへ出力する場合の動作フローチャートである。なお、図５、図６に示したステップと同等な動作には同一の符号が付されている。
【００６５】
図７において、フィルム出力情報キーの入力するステップ５０１は図５の例と同じである。ステップ５０１に続き、必要に応じて、再現しない項目のボタン３０９をＯＦＦに設定し、フィルム出力情報をフィルム処理画面に再現して画面を閉じるボタン３１１を押下する（ステップ６０１）。このボタン操作をトリガーとして、フィルム出力情報キーを指定する画面を閉じる。そして、ステップ５０２に進む。
【００６６】
ステップ５０１の後で、再現しない項目のボタン３０９をＯＦＦとする必要が無い場合は、ステップ６０１を実行せずに、ステップ５０２に進む。そして、ステップ５０３〜５０５を実行する。
【００６７】
次に、ボタン３０９がＯＦＦ状態になっているフィルム出力情報の項目３０８が存在する場合にはステップ６０２の処理を行い、存在しない場合にはステップ５０６の処理を行う。次に、フィルム出力処理画面を表示して、上記処理を行った再現データを表示する（ステップ７０１）。
【００６８】
この後、操作者が、フィルム出力処理画面を使用して、フィルム出力情報を操作して画像をイメージャへ出力する。
【００６９】
以上の説明は、ＭＲＩ装置の記憶装置１１１に、出力情報キー別に記憶された画像情報、レイアウト情報等に基づいて、再現画像をイメージャに再度出力する例であるが、ＭＲＩ装置を通信ネットワークに接続し、遠隔地からの要請に応じて、既出力フィルムの情報を遠隔地に送信することも可能である。
【００７０】
図８は、ＭＲＩ装置を通信ネットワークに接続する場合のシステム概略構成図である。  
図８において、イメージャ１ａを有するＭＲＩ装置１は、送受信装置１ｂを介して通信ネットワーク２に接続されている。
【００７１】
また、複数の送受信装置３、４、５・・・も通信ネットワーク２に接続され、これら送受信装置３、４、５は、ネットワーク２、送受信装置１ｂを介して、ＭＲＩ装置１に既出力フィルムの情報の再出力を要求することができる。
【００７２】
再出力された既出力フィルム情報は、各送受信装置３、４、５のイメージャ３ａ、４ａ、５ａにより表示出力される。
【００７３】
この図８に示すようなシステムを構築すれば、そのＭＲＩ装置により撮影された施設とは異なる施設等に移動した被検体のフィルム情報を、レイアウト等を変えて遠隔地であっても入手することが可能となる。
【００７４】
なお、上述した例は、本発明をＭＲＩ装置に適用した場合の例であるが、本発明はＭＲＩ装置に限らず、ＣＴ装置等の他の医用画像診断装置にも適用可能である。
【図面の簡単な説明】
【００７５】
【図１】本発明が適応されるＭＲＩ装置の全体概略構成図である。
【図２】本発明のＭＲＩ装置から出力したフィルムの概略構成図である。
【図３】本発明のＭＲＩ装置で起動するフィルム出力情報を再現するための情報操作画面の一例を示す図である。
【図４】本発明におけるフィルム出力情報を記憶装置に格納するテーブルの情報構成を示す図である。
【図５】本発明におけるフィルム出力情報を再現し、再現画像を出力する動作フローチャートである。
【図６】出力フィルムの再現において、再現するフィルム出力情報を選択しフィルムに表示する場合における動作フローチャートである。
【図７】出力フィルムの再現において、フィルム出力情報を再現した後、フィルム出力情報を再設定してからフィルムへ出力する場合の動作フローチャートである。
【図８】本発明におけるＭＲＩ装置を通信ネットワークに接続する場合のシステム概略構成図である。
【符号の説明】
【００７６】
１                      ＭＲＩ装置
１ａ、３ａ、４ａ、５ａ  イメージャ
１ｂ、３、４、５        送受信装置
２                      通信ネットワーク
１０１                  静磁場コイル
１０２                  傾斜磁場コイル
１０３                  傾斜磁場電源
１０４                  照射コイル
１０５                  送信系
１０６                  受信コイル
１０７                  受信系
１０８                  ＣＰＵ
１０９                  ディスプレイ
１１０                  操作卓
１１１                  記憶装置
２０３                  画像表示領域
２０４                  フィルム出力情報キー表示領域
３０１                  フィルム出力情報キー入力部分
３０２                  フィルム出力情報リスト表示部分
３０３                  再現項目選択部分
３０４                  機能ボタン表示部分
３０５                  フィルム出力情報キー入力領域
４０２                  フィルム出力情報テーブル
４０３                  フィルム出力情報キー
【図１】
2006149982.tif 000003
【図２】
2006149982.tif 000004
【図３】
2006149982.tif 000005
【図４】
2006149982.tif 000006
【図５】
2006149982.tif 000007
【図６】
2006149982.tif 000008
【図７】
2006149982.tif 000009
【図８】
2006149982.tif 000010